(57)【要約】【課題】一般家庭においてはファクシミリ通信やコピー操作、インク交換等を行うための開閉蓋の開閉操作回数が比較的少ないという現状に着目し、この開閉蓋をパネル筐体自体で兼用することで開閉蓋を削除する。【解決手段】パネル筐体２０が装置筐体１０に対して前方にスライド移動可能に設けられており、パネル筐体２０を装置筐体１０の上部を塞いだ閉状態から上部を開いた開状態にスライド移動させることにより、用紙挿入口１１２及び用紙排出口１１３が開口される。また、装置の動作を制御する制御手段は、パネル筐体２０が開状態となったとき、ファクシミリモードまたはコピーモードのいずれかのモードを選択させる選択モードに移行し、表示部２０ａにモード選択ボタンを表示する。【選択図】図２
2011019071.tif 000002
【特許請求の範囲】
【請求項１】
画像読取部、画像形成部及び用紙搬送路を内蔵し、上部に用紙挿入口、用紙排出口及び原稿挿入口を備えた装置筐体と、前記装置筐体の上部に配置される表示部を備えたパネル筐体とからなり、
前記パネル筐体は前記装置筐体に対してスライド移動可能に設けられ、前記パネル筐体を前記装置筐体の上部を塞いだ閉状態から上部を開いた開状態にスライド移動させることにより、前記用紙挿入口、用紙排出口及び原稿挿入口が開口されることを特徴とする電子装置。
【請求項２】
請求項１に記載の電子装置において、
装置の動作を制御する制御手段を備え、
前記制御手段は、前記開状態となったときファクシミリモードまたはコピーモードのいずれかのモードを選択させる選択モードに移行することを特徴とする電子装置。
【請求項３】
請求項２に記載の電子装置において、
前記選択モードのとき、前記表示部にモード選択ボタンを表示することを特徴とする電子装置。
【請求項４】
請求項２または請求項３に記載の電子装置において、
前記制御手段は、ファクシミリモードまたはコピーモードに移行したとき、前記表示部にファクシミリモードまたはコピーモードに関連するメッセージを表示することを特徴とする電子装置。
【請求項５】
請求項４に記載の電子装置において、
前記メッセージは、ファクシミリモードまたはコピーモードに移行したことを示すメッセージであることを特徴とする電子装置。
【請求項６】
請求項４または請求項５に記載の電子装置において、
前記メッセージは、ファクシミリモードまたはコピーモードの操作手順を示すメッセージであることを特徴とする電子装置。
【請求項７】
請求項４から請求項６までのいずれか１項に記載の電子装置において、
前記制御手段は、ファクシミリモードまたはコピーモードに移行したとき、前記表示部にファクシミリ通信またはコピー処理に関連する操作ボタンを表示することを特徴とする電子装置。
【請求項８】
請求項７に記載の電子装置において、
前記パネル筐体には操作部が設けられており、前記操作部には、電話機能に関連する操作ボタンのみが設けられていることを特徴とする電子装置。
【請求項９】
請求項１から請求項８までのいずれか１項に記載の電子装置において、
前記閉状態のとき、前記開状態となったときに実施できる機能を前記表示部に表示することを特徴とする電子装置。
【請求項１０】
請求項１から請求項９までのいずれか１項に記載の電子装置において、
前記装置筐体には、筐体前面に原稿排出口が設けられ、筐体内の底部には前記原稿排出口から排出される原稿を受ける排出トレイが設けられており、
前記排出トレイは、前記パネル筐体が閉状態から開状態にスライド移動するとき、これに連動して前記原稿排出口から前記装置筐体の前方に突出するようにスライド移動し、前記パネル筐体が開状態から閉状態にスライド移動するとき、これに連動して前記装置筐体の前方に突出した状態から装置筐体内部までスライド移動するように連動機構部によって前記パネル筐体に連結されていることを特徴とする電子装置。
【請求項１１】
請求項１０に記載の電子装置において、
前記連動機構部は、前記パネル筐体と前記排出トレイとを連結するアーム部材を備え、前記アーム部材のパネル筐体側の連結部分である上部連結部と前記アーム部材の排出トレイ側の連結部分である下部連結部とがそれぞれ回動可能に連結されていることを特徴とする電子装置。
【請求項１２】
請求項１１に記載の電子装置において、
前記下部連結部は、前記上部連結部よりも前方側に配置されていることを特徴とする電子装置。
【請求項１３】
請求項１１または請求項１２に記載の電子装置において、
前記パネル筐体は、閉状態から開状態にスライド移動するとき、前記装置筐体の前方に向かって斜め下方にスライド移動し、前記排出トレイは、これに連動して前記装置筐体の前方に向かって水平にスライド移動することにより、前記排出トレイが前記パネル筐体の前面からさらに前方に突出することを特徴とする電子装置。
【請求項１４】
請求項１１から請求項１３までのいずれか１項に記載の電子装置において、
前記パネル筐体を閉状態から開状態にスライド移動させる方向を引き出し方向とするとき、
前記アーム部材は、前記パネル筐体の前記引き出し方向に直交する方向の両端部と前記排出トレイの前記引き出し方向に直交する方向の両端部とをそれぞれ連結するように設けられていることを特徴とする電子装置。
【請求項１５】
請求項１０に記載の電子装置において、
前記連動機構部は、前記パネル筐体の下面及び前記排出トレイの上面に設けられたラックギヤと、前記パネル筐体内に配置され、前記ラックギヤ間を連結する連結ギヤとからなるギヤ構造であることを特徴とする電子装置。
【請求項１６】
請求項１４に記載の電子装置において、
前記連結ギヤが加速ギヤであり、前記開状態において、前記排出トレイが前記パネル筐体の前面からさらに前方に突出することを特徴とする電子装置。
【請求項１７】
請求項１５または請求項１６に記載の電子装置において、
前記パネル筐体を閉状態から開状態にスライド移動させる方向を引き出し方向とするとき、
前記ギヤ構造は、前記パネル筐体の前記引き出し方向に直交する方向の両端部と前記排出トレイの前記引き出し方向に直交する方向の両端部とをそれぞれ連結するように設けられていることを特徴とする電子装置。
【発明の詳細な説明】
【技術分野】
【０００１】
本発明は、画像読取部、画像形成部及び用紙搬送路を内蔵し、上部に用紙挿入口、用紙排出口及び原稿挿入口を備えた装置筐体と、この装置筐体の上部に配置される操作部や表示部を備えたパネル筐体とからなる電子装置に関する。
【背景技術】
【０００２】
近時、電話機能にファクシミリ機能を付加した小型の電子装置（ファクシミリ装置）が一般家庭にも普及しており、各家庭間においてファクシミリによる原稿の送受信が簡単に行えるようになっている。
【０００３】
しかし、一般家庭では、このようなファクシミリ装置を従来通り電話として利用することが多く、ファクシミリ機能の利用頻度は極めて低いのが現状である。そのため、最近の一般家庭用のファクシミリ装置は、電話機能を主とし、ファクシミリ機能を従とする考え方に基づき、ファクシミリ機能を極力簡略化する傾向にある。
【０００４】
例えば、従来は、ファクシミリ装置の後部側に、記録用紙を載置するガイド板を常時装着して記録用紙をセットしていた。また、ファクシミリ送信時に読み取った原稿は、装置筐体前面の原稿排出口から手前側に排出されることになるが、この場合、排出された原稿を受け止めて落下を防止すべく、着脱可能な排出トレイを外付けで装着できるようになっていた。しかし、最近では、上記の考え方に基づき、記録用紙を常時セットする構成を廃止し、装置筐体前面に装着する排出トレイも廃止している。そのため、記録用紙を常時セットする構成を廃止したことで、ファクシミリ受信については、受信したデータを一旦メモリに蓄える構成としている。
【０００５】
また、排出トレイを廃止することで、装置筐体の前面に飛び出すようにして排出トレイを装着するため広い配置スペースが必要となるといった問題や、排出トレイが前に飛び出すことで邪魔になるといった問題を解決している。また、通常、一般家庭では原稿を送信するにしても１枚か２枚程度であり、例えば１０枚、２０枚といった大量の原稿を送信するようなことはほとんど無いことから、１枚や２枚程度であれば、読み取った原稿が例えば電話台等から落下したとしても、さほど問題にならないという現状を踏まえて、排出トレイを廃止している。
【０００６】
このような従来のファクシミリ装置の構成の一例を図１９及び図２０を参照して説明する。図１９及び図２０は、従来のファクシミリ装置を正面側から見た外観図であり、図１９は開閉蓋を閉じた未使用時の状態、図２０は開閉蓋を開いた使用時の状態を示している。
【０００７】
このファクシミリ装置は、図示しない画像読取部や画像形成部等を内蔵する装置筐体２１０と、装置筐体２１０の上面に設けられた操作パネル部２２０及び開閉蓋２３０とからなる。
【０００８】
操作パネル部２２０は、装置筐体２１０の上面手前側に配置されており、液晶パネル等からなる表示部２２０ａと、テンキーや各種機能キー等からなる各種ボタンを備えた操作部２２０ｂとを備えている。また、操作パネル部２２０の下部側の装置筐体２１０には、読み取った原稿を排出する原稿排出口２０３が設けられている。
【０００９】
一方、装置筐体２１０の上面後部側には開口部２１１が設けられており、この開口部２１１には、原稿挿入口（図示省略）や、用紙挿入口２１２及び用紙排出口２１３が設けられている。また、この開口部２１１には上記した開閉蓋２３０が設けられており、この開閉蓋２３０は、開口部２１１の後端部両側が回動支点となって、手前側から奥側に向かって開閉するようになっている。また、開閉蓋２３０の内面にはガイド板２５１，２７１が設けられており、用紙挿入口２１２に記録用紙をセットするときには、このガイド板２５１，２７１を上方に引き出して使用する。すなわち、開閉蓋２３０及びガイド板２５１，２７１がファクシミリ受信時やコピー時に記録用紙をセットする用紙トレイとなっている。また、この用紙トレイは、原稿を送信するときの原稿トレイも兼ねている。
【００１０】
上記したように、開閉蓋２３０は、ファクシミリ機能やコピー機能を利用するとき、またはインクリボンを交換するときにのみ開くものであり、装置自体を使用していないときや電話として使用しているときには、閉じままの状態で使用する。また、このような開閉蓋２３０を設けることによって、原稿挿入口や用紙挿入口２１２及び用紙排出口２１３に埃が付着することを防止している。
【先行技術文献】
【特許文献】
【００１１】
【特許文献１】特開２００８−６０７８２号公報
【発明の概要】
【発明が解決しようとする課題】
【００１２】
このように、従来のファクシミリ装置は、装置手前側に表示部２２０ａや操作部２２０ｂといった実用的な機能を配置し、装置後部側にファクシミリ通信やコピー操作、インク交換のときにだけ使用する開閉蓋２３０を配置しているが、この開閉蓋２３０だけで装置上面全体の約１／２から１／３程度を占めている。そのため、この開閉蓋２３０の影響で表示部２２０ａの表示面積や操作部２２０ｂのボタン配置等が制約を受けることになる。つまり、操作性向上のために操作ボタンを大きくしたり、文字等が見易いように表示画面を大きくしようとしても、開閉蓋２３０があるために大きくすることができないといった問題があった。
【００１３】
本発明はかかる問題点を解決すべく創案されたもので、第１の目的は、一般家庭においてはファクシミリ通信やコピー操作、インク交換等を行うための開閉蓋の開閉操作回数が比較的少ないという現状に着目し、この開閉蓋をパネル筐体自体で兼用することで開閉蓋を削除した電子装置を提供することにある。また、第２の目的は、パネル筐体をスライド移動可能とし、このスライド移動に連係させて各種動作モードに移行させるようにした電子装置を提供することにある。また、第３の目的は、一旦廃止した排出トレイを装置筐体内の底部に配置し、パネル筐体のスライド移動に連動させて排出トレイを装置筐体内から前方に引き出す構造とすることで、ファクシミリ使用時に排出トレイを配置することのできる電子装置を提供することにある。
【課題を解決するための手段】
【００１４】
上記課題を解決するため、本発明の電子装置は、画像読取部、画像形成部及び用紙搬送路を内蔵し、上部に用紙挿入口、用紙排出口及び原稿挿入口を備えた装置筐体と、前記装置筐体の上部に配置される表示部を備えたパネル筐体とからなり、前記パネル筐体は前記装置筐体に対してスライド移動可能に設けられ、前記パネル筐体を前記装置筐体の上部を塞いだ閉状態から上部を開いた開状態にスライド移動させることにより、前記用紙挿入口、用紙排出口及び原稿挿入口が開口されることを特徴としている。
【００１５】
すなわち、パネル筐体自体を用紙挿入口及び用紙排出口の蓋体として兼用することで、装置筐体の上部に用紙挿入口及び用紙排出口を開閉するための専用の蓋を設ける必要がなくなる。また、専用の蓋が無くなることで、パネル筐体を装置筐体に合わせた大きさに形成することができる。従って、このパネル筐体に配置される表示部の表示面積を大きくしたり、操作部の操作ボタンを大きく、または配置間隔を広くすることができ、ユーザにとってボタン操作し易く、また見易すくて大きな表示画面とすることができる。
【００１６】
また、本発明の電子装置は、装置の動作を制御する制御手段を備え、前記制御手段は、前記開状態となったときファクシミリモードまたはコピーモードのいずれかのモードを選択させる選択モードに移行する構成としている。すなわち、パネル筐体のスライド移動の操作を、着信待ちの待機モードからファクシミリモードまたはコピーモードのいずれかのモードを選択させる選択モードに移行させる操作として兼用している。
【００１７】
このとき、前記表示部にモード選択ボタンを表示するようにしてもよい。これにより、ユーザにとっては、パネル筐体を開状態にすることがファクシミリモードまたはコピーモードに移行する操作であることを、表示部に表示されたモード選択ボタンを見ることによって、容易に認識することができる。
【００１８】
また、前記制御手段は、ファクシミリモードまたはコピーモードに移行したとき、前記表示部にファクシミリモードまたはコピーモードに関連するメッセージを表示するようにしてもよい。表示するメッセージとしては、ファクシミリモードまたはコピーモードの操作手順を示すメッセージとすることができる。具体的には、「原稿をセットしてください。」、「ＦＡＸ送り先の番号をダイヤルしてください。」といった操作手順のメッセージを表示することができる。これにより、ユーザは、その表示された操作手順に従って操作することで、読み取った原稿を相手先に簡単に送信することができる。
【００１９】
また、本発明では、前記制御手段は、ファクシミリモードまたはコピーモードに移行したとき、前記表示部にファクシミリ通信またはコピー処理に関連する操作ボタンを表示するようにしてもよい。例えば、パネル筐体を開状態にしたときに、表示部に「ＦＡＸを送る」、「ＦＡＸを受ける」、「コピーをする」といった表記の操作ボタンを表示することで、ユーザは、その表示部に表示されたボタンにタッチするだけでそれぞれのモードに移行することができる。このように、ＦＡＸやコピーに関する操作ボタンを表示部に表示する構成とすることで、パネル筐体に設けられている操作部には、電話機能に関連する操作ボタンのみを設ける構成とすることができる。すなわち、０から９までの数字ボタン、♯ボタン、＊ボタン、保留ボタン、録音ボタン、再生ボタン、一時停止ボタン等の電話を使用するときに必要なボタンのみを操作部に設けた構成とすることができる。これにより、例えば高齢者のユーザにとっては、従来から電話として使用しているボタンのみが操作部に配置されているので、電話をかけるときの操作性に優れたシンプルな構成とすることができる。また、配置するボタン数も少なくて良いので、個々のボタンを大きく、かつ、間隔を開けて配置することができ、高齢者や子供等にとって操作し易い配置とすることができる。
【００２０】
また、本発明では、パネル筐体を閉状態としているときに、パネル筐体を開状態としたときに実施できる機能を表示部に表示しておくようにしてもよい。例えば、「ＦＡＸ」、「コピー」といった実施できる機能の下に、「パネルを前方へスライドさせて下さい。」といった当該機能に移行するための操作メッセージを併せて表示する。これにより、ユーザは、ＦＡＸやコピーを行いたいときには、パネルを前方にスライドさせればよいことを、表示部の表示内容から容易に認識することができる。
【００２１】
また、本発明によれば、上記構成において、前記装置筐体には、筐体上部に原稿挿入口及び筐体前面に原稿排出口が設けられ、筐体内の底部には前記原稿排出口から排出される原稿を受ける排出トレイが設けられており、前記排出トレイは、前記パネル筐体が閉状態から開状態にスライド移動するとき、これに連動して前記原稿排出口から前記装置筐体の前方に突出するようにスライド移動し、前記パネル筐体が開状態から閉状態にスライド移動するとき、これに連動して前記装置筐体の前方に突出した状態から装置筐体内部までスライド移動するように連動機構部によって前記パネル筐体に連結された構成としてもよい。
【００２２】
このように、パネル筐体の閉状態から開状態へのスライド移動に連動させて、排出トレイを装置筐体の前方に突出させるようにスライド移動させることで、ファクシミリ使用時に、読み取った原稿を排出トレイで確実に受けることができる。また、ファクシミリを使用しないときには、パネル筐体を開状態から閉状態にスライド移動させることで、排出トレイも装置筐体の内部にスライド移動して収納されるので、着信待ちの状態や電話使用時において排出トレイが邪魔になることもない。さらに、ファクシミリ使用時には排出トレイが自動的に出てくるので、従来のように別体の排出トレイをユーザが装着するといった手間や付け忘れを防止することができる。
【００２３】
ここで、連結機構部の具体例について説明する。
【００２４】
連結機構部の一つの具体例として、前記連動機構部は、前記パネル筐体と前記排出トレイとを連結するアーム部材を備え、前記アーム部材のパネル筐体側の連結部分である上部連結部と前記アーム部材の排出トレイ側の連結部分である下部連結部とがそれぞれ回動可能に連結された構成とすることができる。この場合、前記下部連結部は、前記上部連結部よりも前方側に配置されている必要がある。このように下部連結部を上部連結部よりも前方側に配置することで、パネル筐体を装置筐体に対して前方側に引き出すようにスライド移動させたとき、下部連結部には、上部連結部からアーム部材を介して下方かつ前方方向に力が作用することになる。そのため、この前方方向に作用する力によって、下部連結部が前方側に移動することから、排出トレイが前方側にスライド移動することになる。
【００２５】
この場合、前記パネル筐体は、閉状態から開状態にスライド移動するとき、前記装置筐体の前方に向かって斜め下方にスライド移動し、前記排出トレイは、これに連動して前記装置筐体の前方に向かって水平にスライド移動するように構成しておく。これにより、パネル筐体を前方にスライド移動させるに従って、アーム部材の上部連結部と下部連結部とが上下方向において徐々に接近することになり、この接近によって、アーム部材は上部連結部を支点として下部連結部側が前方にスイングするように加速的に（すなわち、パネル筐体のスライド速度よりも徐々に速くなるスライド速度で）スライド移動することになる。その結果、パネル筐体を完全に開状態としたとき、排出トレイはパネル筐体の前面からさらに前方に突出した位置までスライド移動することになる。そして、このように排出トレイがパネル筐体の前面からさらに前方に突出することで、排出トレイに排出された原稿が取り出し易くなるものである。
【００２６】
なお、前記パネル筐体を閉状態から開状態にスライド移動させる方向を引き出し方向とするとき、前記アーム部材は、前記パネル筐体の引き出し方向に直交する方向の両端部と前記排出トレイの引き出し方向に直交する方向の両端部とをそれぞれ連結するように設けられている。すなわち、アーム部材は、パネル筐体の前面から見ると、左右両側に一対設けられている。これにより、排出トレイのスライド動作を安定させることができる。
【００２７】
また、連結機構部の他の具体例として、前記連動機構部は、前記パネル筐体の下面及び前記排出トレイの上面に設けられたラックギヤと、前記パネル筐体内に配置され、前記ラックギヤ間を連結する連結ギヤとからなるギヤ構造とすることができる。この場合、前記連結ギヤを加速ギヤとする。これにより、パネル筐体を閉状態から開状態までスライド移動させたとき、排出トレイをパネル筐体の前面からさらに前方に突出させることができる。このように、排出トレイをパネル筐体の前面からさらに前方に突出させることで、排出トレイに排出された原稿を取り出すことが容易となる。
【００２８】
なお、前記ギヤ構造は、前記パネル筐体の引き出し方向に直交する方向の両端部と前記排出トレイの引き出し方向に直交する方向の両端部とをそれぞれ連結するように設けられている。すなわち、ギヤ構造は、パネル筐体の前面から見ると、左右両側に一対設けられている。これにより、排出トレイのスライド動作を安定させることができる。
【発明の効果】
【００２９】
本発明は上記のように構成したので、装置筐体の上部に用紙挿入口や用紙排出口及び原稿挿入口を開閉するための専用の蓋を設ける必要がなく、パネル筐体を装置筐体に合わせた大きさに形成することができる。これにより、このパネル筐体に配置される表示部の表示面積を大きくしたり、操作部の操作ボタンを大きく、または配置間隔を広くすることができ、ユーザにとってボタン操作し易く、かつ、見易すい大きな表示画面とすることができる。また、待機時時にはパネル筐体を元の閉状態に戻すことで、ファクシミリ通信時やコピー時以外はコンパクト化を図ることができる。
【図面の簡単な説明】
【００３０】
【図１】パネル筐体を閉じた状態を示す実施例１に係るファクシミリ装置の外観斜視図である。
【図２】パネル筐体を開いた状態を示す実施例１に係るファクシミリ装置の外観斜視図である。
【図３】パネル筐体を閉じた状態を示す実施例１に係るファクシミリ装置の概略断面図である。
【図４】パネル筐体を開く過程を示す実施例１に係るファクシミリ装置の概略断面図である。
【図５】パネル筐体を開く過程を示す実施例１に係るファクシミリ装置の概略断面図である。
【図６】パネル筐体を完全に開いた状態を示す実施例１に係るファクシミリ装置の概略断面図である。
【図７】パネル筐体を完全に開いた状態からさらに記録カバーを開いた状態を示す実施例１に係るファクシミリ装置の概略断面図である。
【図８Ａ】図３のＡ−Ａ線に沿う部分断面図である。
【図８Ｂ】図３のＢ−Ｂ線に沿う部分断面図である。
【図９】実施例１に係るファクシミリ装置において、パネル筐体を開くときにアーム部材の上部連結部と下部連結部に作用する力を説明する図である。
【図１０】パネル筐体を開いた状態を示す実施例２に係るファクシミリ装置の外観斜視図である。
【図１１】パネル筐体を閉じた状態を示す実施例２に係るファクシミリ装置の概略断面図である。
【図１２】パネル筐体を開いた状態を示す実施例２に係るファクシミリ装置の概略断面図である。
【図１３】図１２のＤ−Ｄ線に沿う部分断面図である。
【図１４】本実施形態のファクシミリ装置の電気的構成を示す回路ブロック図である。
【図１５】表示制御部の構成を示すブロック図である。
【図１６】本実施形態のファクシミリ装置における表示制御処理を示すフローチャートである。
【図１７】（ａ）〜（ｆ）は、本実施形態のファクシミリ装置における表示制御処理時の表示画面例を示す説明図である。
【図１８】（ｇ）〜（ｍ）は、本実施形態のファクシミリ装置における表示制御処理時の表示画面例を示す説明図である。
【図１９】従来の小型ファクシミリ装置を正面側から見た外観図であり、開閉蓋を閉じた未使用時の状態を示している。
【図２０】従来の小型ファクシミリ装置を正面側から見た外観図であり、開閉蓋を開けた状態を示している。
【発明を実施するための形態】
【００３１】
以下、本発明の実施の形態について、図面を参照して説明する。なお、以下の実施形態は、本発明を具体化した一例であって、本発明の技術的範囲を限定する性格のものではない。本実施形態では、本発明の電子装置を小型のファクシミリ装置に適用した場合について説明する。
【００３２】
＜実施例１に係るファクシミリ装置の説明＞
図１及び図２は、実施例１に係るファクシミリ装置の外観斜視図であり、図１はパネル筐体を閉じた状態、図２はパネル筐体を開いた状態を示している。
【００３３】
本実施例１のファクシミリ装置は、後述する画像読取部、画像形成部及び用紙搬送路を内蔵し、上部に記録用紙挿入口１１２、記録用紙排出口１１３及び原稿挿入口１０２（図３参照）を備えた装置筐体１０と、この装置筐体１０の上部に配置され、液晶パネル等からなる表示部２０ａとテンキーや各種機能キー等の操作ボタンからなる操作部２０ｂとを備えたパネル筐体２０とからなる。
【００３４】
パネル筐体２０は、装置筐体１０に対して前方（図中Ｘ方向）に往復スライド移動可能に設けられており、パネル筐体２０を装置筐体１０の上部を塞いだ閉状態（図１に示す状態）から、上部を開いた開状態（図２に示す状態）にスライド移動させることにより、記録用紙挿入口１１２、記録用紙排出口１１３及び原稿挿入口１０２が開口されるようになっている。すなわち、パネル筐体２０を開状態にスライド移動させることにより、装置筐体１０の上面後部側に開口部１２が形成され、この開口部１２に記録用紙挿入口１１２、記録用紙排出口１１３及び原稿挿入口１０２が露出するようになっている。
【００３５】
本実施例１のファクシミリ装置によれば、パネル筐体２０自体を記録用紙挿入口１１２、記録用紙排出口１１３及び原稿挿入口１０２の蓋体として兼用することで、装置筐体１０の上部に記録用紙挿入口１１２、記録用紙排出口１１３及び原稿挿入口１０２を開閉するための専用の蓋を設ける必要がなくなる。また、専用の蓋が無くなることで、パネル筐体２０を装置筐体１０に合わせた大きさに形成することができる。従って、このパネル筐体２０に配置される表示部２０ａの表示面積を大きくしたり、操作部２０ｂの各操作ボタンを大きく、または配置間隔を広くすることができ、ユーザにとって表示画面が見易く、また、ボタン操作が行い易いファクシミリ装置とすることができる。
【００３６】
なお、パネル筐体２０のスライド機構構造については後述することとし、ここではまず本実施例１に係るファクシミリ装置の全体構成について、図３及び図６を参照して説明する。ただし、図３は図１に対応した概略断面図であり、図６は図２に対応した概略断面図である。
【００３７】
このファクシミリ装置は、上記したように、装置筐体１０と、装置筐体１０の上部に設けられたパネル筐体２０とを備えている。
【００３８】
装置筐体１０は、原稿の画像を読み取る画像読取部１００、画像読取部１００に原稿を搬送する原稿搬送路１０１、用紙に画像を形成する画像形成部１１０、及び、画像形成部１１０を経由して用紙を搬送する用紙搬送路１１１を内蔵している。
【００３９】
原稿搬送路１０１は、開口部１２内の前部側に開口する原稿挿入口１０２と、装置筐体１０の前面部に開口する原稿排出口１０３とを備えている。原稿搬送路１０１の途中には、原稿搬送ローラ１０４及び分離ゴム板１０５が配置されている。原稿搬送ローラ１０４と分離ゴム板１０５とは、互いに対向するように配置されている。原稿挿入口１０２から挿入された原稿は、原稿搬送ローラ１０４と分離ゴム板１０５との間で１枚ずつに分離され、最も下側の１枚の原稿のみが原稿排出口１０３に向けて搬送される。
【００４０】
原稿搬送ローラ１０４の下流側には、画像読取部１００を構成するイメージセンサ１０６及び背面ローラ１０７が配置されている。イメージセンサ１０６と背面ローラ１０７とは互いに対向するように配置されている。
【００４１】
原稿挿入口１０２から挿入された原稿は、原稿搬送ローラ１０４によってイメージセンサ１０６と背面ローラ１０７との間に送り込まれる。送り込まれた原稿は、背面ローラ１０７によって背面からイメージセンサ１０６に押え付けられながら搬送されることで、イメージセンサ１０６によって画像が読み取られる。画像を読み取られた原稿は、背面ローラ１０７によって原稿排出口１０３から装置筐体１０の外部に引き出された排出トレイ３０上に排出される。排出トレイ３０については後述する。
【００４２】
一方、用紙搬送路１１１は、略Ｕ字形に形成されており、開口部１２内の後部側に用紙挿入口１１２が配置され、開口部１２内のほぼ中央部に用紙排出口１１３が配置されている。
【００４３】
用紙挿入口１１２近傍の用紙搬送路１１１には、分離パッド１１４と給紙ローラ１１５とが互いに対向するように配置されている。
【００４４】
図６に示すように、用紙は、積層された状態で用紙挿入口１１２に挿入され、先端が分離パッド１１４に突き当たった状態で収容される。そして、給紙ローラ１１５が回転すると、給紙ローラ１１５と分離パッド１１４とによって、給紙ローラ１１５に最も近い１枚の用紙のみが用紙排出口１１３に向けて用紙搬送路１１１内を搬送される。
【００４５】
給紙ローラ１１５の下流側には、画像形成部１１０を構成するプラテンローラ１１６とサーマルヘッド１１７とが、互いに対向するように配置されている。また、プラテンローラ１１６とサーマルヘッド１１７との間には、インクフィルム１１８が配置されている。インクフィルム１１８は、インクフィルム１１８を供給する供給ローラ１２１と巻き取りローラ１２２とにより、用紙の搬送速度に合わせて用紙の搬送方向と同方向に送られる。
【００４６】
プラテンローラ１１６の下流側には、用紙排出ローラ１１９が配置されている。用紙排出ローラ１１９は、用紙排出口１１３から用紙を上方に排出する。
【００４７】
用紙挿入口１１２から挿入された用紙は、プラテンローラ１１６とインクフィルム１１８との間に送り込まれ、サーマルヘッド１１７によってインクフィルム１１８のインクが画像情報に基づいて熱転写され、これによって用紙上に画像が形成される。画像が形成された用紙は、下流側の用紙排出ローラ１１９によって用紙排出口１１３から排出される。
【００４８】
なお、図示は省略しているが、原稿挿入口１０２の近傍には、原稿が原稿挿入口１０２に挿入されてセットされたことを検出する原稿検出センサが設けられており、用紙挿入口１１２の近傍には、用紙（以下、記録用紙という。）が用紙挿入口１０２に挿入されてセットされたことを検出する用紙検出センサが設けられている。
【００４９】
また、用紙搬送路１１１の上側部分を構成する分離パッド１１４、給紙ローラ１１５、プラテンローラ１１６及び用紙排出ローラ１１９は記録カバー１２０に取り付けられている。そして、インクフィルム１１８の交換時には、図７に示すように、記録カバー１２３を回動軸１２４を中心にして開口部１２から上側に開くことによって、用紙搬送路１１１の上側全体を開放し、この状態でインクフィルム１１８の交換を行うようになっている。
【００５０】
また、装置筐体１０内の背面には、ガイド板５１が上下方向にスライド移動可能に装着されており、ファクシミリ受信やコピー時には、パネル筐体２０を開状態にスライド移動させた後、ガイド板５１を装置筐体１０から手で引き出して記録用紙のトレイとして使用する。使用後は手で押し込んで装置筐体１０内に収納するようになっている。
【００５１】
さらに、本実施例１では、装置筐体１０に対してパネル筐体２０がスライド移動する構成であるため、装置筐体１０に内蔵されている回路基板１５０と、パネル筐体２０に内蔵されている回路基板１６０とが、横向きＵ字状に湾曲させたフラットケーブル１７０によって電気的に接続されている。このようにＵ字状に湾曲させたフラットケーブル１７０によって両基板を接続することで、パネル筐体２０が閉状態（図３）から開状態（図６）までスライド移動しても、フラットケーブルはその湾曲位置を変えながら追従するので、電気的な接続に問題を生じることはない。これは、インクジェットプリンタにおいて往復移動するプリンタヘッドと回路基板とがフラットケーブルによって接続されている構造と同じである。
【００５２】
次に、本実施例１に係るファクシミリ装置のスライド機構構造について、図３ないし図６及び図８を参照して説明する。ただし、図３ないし図６は、パネル筐体２０がスライドしていく過程を示す概略断面図、図８Ａは、図３のＡ−Ａ線に沿う部分断面図、図８Ｂは、図３のＢ−Ｂ線に沿う部分断面図である。各部分断面図は正面側から見て右側の筐体部分のみを示しているが、左側の筐体部分の断面図も左右が反転する以外は全く同じ構造である。
【００５３】
装置筐体１０の上端開口部は、パネル筐体２０のスライド方向Ｘに沿う両側面（正面から見た場合にはスライド方向Ｘに直交する方向Ｙ（図１及び図２参照）の左右両側面）の上端縁部が、スライド方向Ｘの全長に渡って内部側に１段凹んだ断面Ｌ字形状のパネル受け部１１（図８Ａ，図８Ｂ参照）となっており、このパネル受け部１１の外側面１１ｂに、スライド方向Ｘに所定の間隔を存して２個のスライド用突起部１３，１３が形成されている。すなわち、パネル受け部１１は、後述するパネル筐体２０の左右両側面の下端部を受け止めてスライドさせる当接面１１ａと、上記スライド用突起部１３，１３を形成するための垂直に立ち上がった外側面１１ｂとで構成されている。スライド用突起部１３は、一つはパネル受け部１１の前端部（図３において左端部）に設けられており（これを前端側スライド用突起部という。）、もう一つはスライド方向Ｘのほぼ中央部であって、原稿挿入口１０２よりも前方側に設けられている（これを中央側スライド用突起部という。）。
【００５４】
一方、パネル筐体２０のスライド方向Ｘに沿う両側面の下端縁の内面側には、スライド方向Ｘの全長に渡ってレール溝部２１が形成されている。このレール溝部２１は、下側レール片２１ａと上側レール片２１ｂとでスライド用突起部１３を上下から挟み込む構造となっており、下側レール片２１ａがパネル受け部１１の当接面１１ａに当接するようになっている。すなわち、パネル受け部１１の当接面１１ａでレール溝部２１の下側レール片２１ａを受け止めることで、パネル筐体２０が安定してスライド移動できるようになっている。
【００５５】
また、レール溝部２１の長さについては、パネル筐体２０を完全に閉じた閉状態としたとき、図３に示すように、レール溝部２１の前側端部２１ｆが前端側スライド用突起部１３に当接し、パネル筐体２０を完全に開いた開状態としたとき、図６に示すように、レール溝部２２の後側端部２１ｒが中央側スライド用突起部１３と当接するようになっている。すなわち、パネル筐体２０を前方一杯までスライド移動させたときには、中央側スライド用突起部１３にレール溝部２１の後側端部２１ｒが当たることによって、それ以上のスライド移動を規制するようになっている。同様に、パネル筐体２０を後方側に一杯までスライド移動させたときには、前端側スライド用突起部１３にレール溝部２１の前側端部２１ｆが当たることによって、それ以上のスライド移動を規制するようになっている。
【００５６】
なお、本実施例１では、装置筐体１０とパネル筐体２０の接合面である装置筐体１０の上端開口部のスライド方向Ｘに沿う両側面の下端部が、装置筐体１０の前方に向かって斜め下方に若干傾斜するように形成されている。同様に、パネル筐体２０の下部開口部のスライド方向Ｘに沿う両側面の上端部も、前方に向かって斜め下方に若干傾斜するように形成されている。そのため、パネル筐体２０を閉状態としているときには、パネル筐体２０がこの傾斜によって自然に開状態までスライド移動しないようにロック機構１５を設けている。このようなロック機構としては、従来周知の種々の構成のものが採用可能であるが、本実施例１では、装置筐体１０側の上部開口部１２の後端部近傍に、バネ等で上方に回動可能に付勢されたロック爪部１５ａを設け、このロック爪部１５ａと係合する係合突起部１５ｂをパネル筐体２０の下部開口部の後端部近傍に設けている。そして、パネル筐体２０を開く方向にスライド移動させるように前方に少し強く引く操作を行うと、係合突起部１５ｂがロック爪部１５ａを下方に押し下げるようにして乗り越え、これによりロック爪部１５ａと係合突起部１５ｂとの係合が解除されるようになっている。これとは逆に、開状態のパネル筐体２０を閉じる方向に一杯まで押し込むと、係合突起部１５ｂが再びロック爪部１５ａを下方に押し下げるようにして乗り換え、乗り越えた後はロック爪部１５ａがバネ等の付勢力で再び上方に押し上げられて回動復帰することで、係合突起部１５ｄと再び係合することになる。
【００５７】
また、本実施例１では、図６に示すようにパネル筐体２０を完全に開いた開状態としたとき、この開状態を検出する開状態検出スイッチ１６が装置筐体１０の上部開口部近傍に配置されている。この開状態検出スイッチ１６は、本実施例１ではリミットスイッチによって構成されており、パネル筐体２０を完全に開状態としたとき、上記ロック機構を構成する係合突起部１５ｂがこのリミットスイッチを押し下げる位置にくることによって、パネル筐体２０の開状態を検出するようになっている。ただし、開状態検出スイッチ１６は、リミットスイッチに限定されるものではなく、反射型や透過型の光センサを用いることも可能である。
【００５８】
さらに、本実施例１では、装置筐体１０の下部側も開口部となっている。そして、図８Ｂに示すように、スライド方向Ｘに沿う両側面の下端縁の内面側には、排出トレイ３０の左右両側縁部３０ａ，３０ａを上下方向から挟み込むように支持するレール溝部２５がスライド方向Ｘの全長に渡って水平方向に形成されている。排出トレイ３０は、この左右のレール溝部２５，２５に左右両側縁部３０ａ，３０ａがそれぞれ支持された状態で、スライド方向Ｘに往復移動可能となっている。
【００５９】
上記したように、パネル筐体２０は、装置筐体１０のパネル受け部１１の当接面１１ａにレール溝部２１の下側レール片２１ａが当接した状態で、前方に向かって斜め下方にスライド移動し、排出トレイ３０は、装置筐体１０の左右のレール溝部２５，２５に両側縁部３０ａ，３０ａがそれぞれ支持された状態で、前方に向かって水平方向にスライド移動するように設けられている。
【００６０】
このようなスライド構造において、本実施例１では、パネル筐体２０と排出トレイ３０とが連動機構部４０によって連結されている。
【００６１】
この連動機構部４０は、本実施例１では、パネル筐体２０と排出トレイ３０とを連結するアーム部材４１によって構成されている。このアーム部材４１は、図２に示すように、パネル筐体２０のスライド方向Ｘに直交する左右方向Ｙの両端部と排出トレイ３０の左右方向Ｙの両側先端部とをそれぞれ連結するように設けられている。すなわち、アーム部材４１，４１は、パネル筐体２０の前面から見ると、左右両側に配置する形で一対設けられている。
【００６２】
図８Ａに示すように、アーム部材４１の上端部内側面には、パネル筐体２０に回動可能に連結するための上部突起部４２が横方向に突出して設けられており、アーム部材４２の下端部内側面には、排出トレイ３０に回動可能に連結するための下部突起部４３が横方向に突出して設けられている。
【００６３】
一方、パネル筐体２０の内部上面には、左右両側近傍に、下方に垂下した支持板２２が形成され、この支持板２２の下部外側面に、アーム部材４１の上部突起部４２を回動可能に支持する支持凹部２３が設けられている。すなわち、この支持凹部２３にアーム部材４１の上部突起部４２が回動可能に嵌合されて、アーム部材４１の上部連結部４１ａが形成されている。
【００６４】
また、排出トレイ３０の左右両側前端部には、アーム部材４１の下部突起部４３を回動可能に支持する支持凹部３５が設けられている。すなわち、この支持凹部３５にアーム部材４１の下部突起部４３が回動可能に嵌合されて、アーム部材４１の下部連結部４１ｂが形成されている。
【００６５】
このように連結されたアーム部材４１は、側面から見たとき若干後方に湾曲した弓形形状となっている。また、図３に示すように、パネル筐体２０の閉状態において、アーム部材４１の下部連結部４１ｂが、上部連結部４１ａよりも前方側に位置するように配置されている。このように下部連結部４１ｂを上部連結部４１ａよりも前方側に配置することで、図９に示すように、パネル筐体２０に前方側に引き出すような力Ｆ１を加えたとき、アーム部材４１の上部連結部４１ａには図中Ｆ２方向の力が加わる。この力Ｆ２は、アーム部材４１の下部連結部４１ｂにも加わるので、下部連結部４１ｂには、この力Ｆ２による水平方向（前方方向）の力Ｆ３が作用することになる。そのため、この前方方向に作用する力Ｆ３によって、下部連結部４１ｂが前方側に移動することから、排出トレイ３０が前方側にスライド移動することになる。
【００６６】
この場合、図４ないし図６に示すように、パネル筐体２０は、閉状態から開状態にスライド移動するとき、装置筐体１０の前方に向かって斜め下方にスライド移動し、排出トレイ３０は、これに連動して装置筐体１０の前方に向かって水平にスライド移動する。すなわち、パネル筐体２０が排出トレイ３０に近づくようにスライド移動する。そのため、パネル筐体２０を前方にスライド移動させるに従い、アーム部材４１の上部連結部４１ａと下部連結部４１ｂとが上下方向において徐々に接近することになり、この接近によって、アーム部材４１は上部連結部４１ａを支点として下部連結部４１ｂ側が前方にスイングするように回動しながらスライド移動することになる。すなわち、パネル筐体２０のスライド移動速度よりも排出トレイ３０のスライド速度が徐々に速くなるようにスライド移動することになる。その結果、パネル筐体２０を完全に開状態としたとき、図６に示すように、排出トレイ３０はパネル筐体２０の前面からさらに前方に突出した位置までスライド移動することになる。そして、このように排出トレイ３０がパネル筐体２０の前面からさらに前方に突出することで、排出トレイ３０に排出された原稿が取り出し易くなっている。
【００６７】
一方、パネル筐体２０を開状態から閉状態に戻すため、パネル筐体２０を後方側に押し込むと、先程とは逆の過程をたどって排出トレイ３０が装置筐体１０内に収納される。
【００６８】
＜実施例２に係るファクシミリ装置の説明＞
図１０は、パネル筐体を開いた状態を示す実施例２に係るファクシミリ装置の外観斜視図、図１１は、パネル筐体を閉じた状態を示す実施例２に係るファクシミリ装置の概略断面図、図１２は、パネル筐体を開いた状態を示す実施例２に係るファクシミリ装置の概略断面図、図１３は、図１２のＤ−Ｄ線に沿う部分断面図である。ただし、この部分断面図は、正面側から見て右側の筐体部分のみを示しているが、左側の筐体部分の断面図も左右が反転する以外は全く同じ構造である。
【００６９】
本実施例２のファクシミリ装置の機構構造と上記実施例１のファクシミリ装置の機構構造との相違部分は、パネル筐体２０と排出トレイ３０とを連結している連動機構部６０の構造のみであり、その他の構造は上記実施例１のファクシミリ装置と同じである。従って、本実施例２では、この連動機構部６０の構造について、上記図１０ないし図１３を参照して説明する。
【００７０】
本実施例２の連動機構部６０は、パネル筐体２０と排出トレイ３０とを連結するギヤ機構部によって構成されている。このギヤ機構部（連動機構部）６０は、図１０に示すように、パネル筐体２０のスライド方向Ｘに直交する左右方向Ｙの両端部と排出トレイ３０の左右方向Ｙの両側先端部とをそれぞれ連結するように設けられている。すなわち、ギヤ機構部６０，６０は、パネル筐体２０の前面から見ると、左右両側に配置する形で一対設けられている。
【００７１】
パネル筐体２０の内部上面には、左右両側近傍に、下方に垂下したギヤ支持板６２（図１３参照）がスライド方向Ｘの全長に渡って延設するように形成され、このギヤ支持板６２の下端面にパネル側ラックギヤ６３が設けられている。このパネル側ラックギヤ６３は、パネル筐体２０の前方斜め下方へのスライド方向と平行に設けられている。一方、排出トレイ３０の左右両側前端部には、その上面にスライド方向Ｘの全長に渡って延設するようにトレイ側ラックギヤ６４が形成されている。このトレイ側ラックギヤ６４は、水平に設けられている。
【００７２】
これらパネル側ラックギヤ６３とトレイ側ラックギヤ６４との間には、加速ギヤを構成する３つのギヤ（第１ギヤ６５、第２ギヤ６６及び第２ギヤ６７）が配置されている。このうち第１ギヤ６５は、パネル側ラックギヤ６３と同ピッチであり、第２ギヤ６６と第３ギヤ６７とトレイ側ラックギヤ６４は、同ピッチのギヤである。さらに、第２ギヤ６６は第１ギヤ６５よりも径の大きなギヤである。ただし、第１ギヤ６５と第２ギヤ６６は、同じピッチであっても構わない。
【００７３】
第１ギヤ６５と第２ギヤ６６は、支持軸６８によって同軸状に連結されている。そして、径の小さい第１ギヤ６５がパネル側ラックギヤ６３と噛合し、径の大きい第２ギヤが第３ギヤ６７と噛合し、第３ギヤ６７がトレイ側ラックギヤ６４と噛合するように配置されている。
【００７４】
ここで、第１ギヤ６５及び第３ギヤ６７と第２ギヤ６６とのギヤ比が、例えば１：１．３であるとすると、第１ギヤ６５の１回転に対し第３ギヤが１．３回転することになる。すなわち、第１ギヤ６５の１回転でパネル筐体２０が前方に進む距離をＬ１とすると、その間に排出トレイ３０が１．３×Ｌ１だけ前方に進むことになる。これにより、パネル筐体２０を閉状態（図１１）から開状態（図１２）までスライド移動させたとき、図１２に示すように、排出トレイ３０をパネル筐体２０の前面からさらに前方に突出させることができる。このように、加速ギヤ構成によって排出トレイ３０をパネル筐体２０の前面からさらに前方に突出させることで、排出トレイ３０に排出された原稿を取り出すことが容易となる。
【００７５】
以上が、実施例１及び実施例２に係るファクシミリ装置の説明である。
【００７６】
＜本実施形態（実施例１及び実施例２）のファクシミリ装置の電気的構成の説明＞
次に、本実施形態のファクシミリ装置の電気的構成について、図１４に示す回路ブロック図を参照して説明する。
【００７７】
本実施形態のファクシミリ装置は、先に述べた画像読取部１００を制御する画像読取制御部７１、画像形成部１１０を制御する画像形成制御部７２、原稿搬送路１０１や用紙搬送路１１１を制御する搬送制御部７３、記憶部７４、主制御部７５、表示制御部７６、通話制御部７７、ファクシミリ通信部７８、及び開閉検出部７９等を備えている。
【００７８】
記憶部７４はＲＯＭやＲＡＭ等によって構成されており、ＲＯＭには、本装置の動作全体を制御する各種の制御プログラムが格納されている。また、ＲＡＭには受信した画像データや画像読取部１００によって読み取られた原稿の画像データが記憶される。
【００７９】
表示制御部７６は、表示部２０ａの液晶パネルの表示を制御したり、タッチパネルからの入力を検出する制御を行う。
【００８０】
通話制御部７７は、図示しない網制御部を備えており、マイクからの音声入力やイヤピースからの音声出力を制御する。また、留守録音や録音した音声の再生も制御する。
【００８１】
ファクシミリ通信部７８は、画像データを外部端末に送信したり、外部端末からの着信を受けて、画像データを外部端末から受信する。
【００８２】
図１５は、表示制御部７６の構成を示すブロック図である。この表示制御部７６は、表示部２０ａを構成する液晶パネル８１の他に、液晶パネル８１上に配置される入力手段としてのタッチパネル８２、判断部８３、表示記憶部８４、及びパネル制御部８５を備えている。
【００８３】
判断部８３は、ＡＳＩＣ（Application Specific Integrated Circuit）であり、タッチパネル８２からの入力やパネル制御部８５からの指示に応答して、表示データを表示記憶部８４から読み出し、表示データによって示される画像を液晶パネル８１の画面に表示する。また、判断部８３は、指先やペン先等の接触により指示された液晶パネル８１の画面上の入力位置がタッチパネル８２で検出されると、この入力位置に重なる画面上の操作ボタン等を識別する。
【００８４】
表示記憶部８４は、液晶パネル８１に表示される各種の画像を示すそれぞれの画像データ等を記憶している。これらの画像データとしては、ファクシミリの各送信条件または各受信条件等に対応するそれぞれの画面データ等がある。また、コピーの場合には、原稿の印字倍率、印字部数等の印字条件を設定するためのそれぞれの画面データ等がある。
【００８５】
パネル制御部８５は、表示制御部７６を統括的に制御するものであり、主制御部７４との間で制御データ等を送受する。
【００８６】
開閉検出部７９は、パネル筐体２０の開閉動作を検出するものであり、リミットスイッチで構成された開状態検出スイッチ１６からオン信号を受け取ることで、パネル筐体２０の開状態を検出するようになっている。
【００８７】
主制御部７４は、本装置を統括的に制御するものであり、画像読取制御部７１、画像形成制御部７２、搬送制御部７３、表示制御部７６、通話制御部７７、及びファクシミリ通信部７８と連係しながらそれぞれの制御を実行する。
【００８８】
＜本実施形態のファクシミリ装置の表示制御の説明＞
上記構成において、本実施形態では、パネル筐体２０のスライド移動による開閉検出部７９のオン、オフを検出することで、表示部２０ａに種々の表示制御を行うようになっている。
【００８９】
以下、この表示制御の具体例について、図１６に示すフローチャート、図１７及び図１８に示す表示画面例を参照して説明する。
【００９０】
パネル筐体２０を閉じた図１に示す未使用時の状態（すなわち、着信待ち状態）において、表示部２０ａには、図１７（ａ）に示すように、パネル筐体２０を開状態としたときに実施できる機能が表示されている（ステップＳ１）。すなわち、「ＦＡＸ」、「コピー」といった実施できる機能を表示し、その下に、「パネルを前方へスライドさせて下さい。」といった当該機能に移行するための操作メッセージを併せて表示する。これにより、ユーザは、ＦＡＸやコピーを行いたいときには、パネルを前方にスライドさせればよいことを、表示部２０ａの表示内容から容易に認識することができる。
【００９１】
この状態で、主制御部７５は、開閉検出部７９からの検出信号を常時監視している（ステップＳ２）。上記したように、パネル筐体２０が閉状態のときには開閉検出部７９からオフ信号（Ｌ信号）が出力されている。主制御部７５は、このオフ信号に基づき、表示制御部７６を介して表示部２０ａの表示を上記の表示状態に維持している。
【００９２】
この状態において、ユーザがパネル筐体２０を閉状態から開状態までスライド移動させると、開状態となったとき、開閉検出部７９がこれを検出してオン信号（Ｈレベルの信号）を主制御部７５に出力する。主制御部７５は、開閉検出部７９からのオン信号を受け取ると（ステップＳ２でＹｅｓと判断されると）、本装置をファクシミリモードまたはコピーモードのいずれかのモードを選択させる選択モードに移行する（ステップＳ３）。すなわち、パネル筐体２０の前方へのスライド移動の操作を、着信待ちの待機モードからファクシミリモードまたはコピーモードのいずれかのモードを選択させる選択モードに移行させるための操作としている。
【００９３】
このとき、表示部２０ａには、図１７（ｂ）に示すように、モード選択ボタンが表示される。すなわち、表示部２０ａに「ＦＡＸを送る」、「ＦＡＸを受ける」、「コピーをする」といった各種モードを選択するためのボタンを表示する。これにより、ユーザにとっては、パネル筐体２０を開状態にすることがファクシミリモードまたはコピーモードに移行する操作であることを、表示部２０ａに表示された各種のモード選択ボタンを見ることによって、容易に認識することができる。
【００９４】
ここで、ユーザが表示部２０ａに表示された「ＦＡＸを送る」のボタンにタッチすると、表示制御部７６がこのボタンタッチを検出し、検出信号を主制御部７５に出力する。主制御部７５は、この検出信号に基づき、図１７（ｃ）に示すように、表示制御部７６を介して表示部２０ａに原稿セットを促すメッセージを表示する（ステップＳ４，Ｓ５）。
【００９５】
この後、ユーザが原稿を原稿挿入口１０２に差し込んでセットすると、図示は省略しているが原稿検出センサがこれを検出し、その検出信号を主制御部７５に出力する。主制御部７５は、この検出信号を受け取ると（ステップＳ６でＹｅｓと判断されると）、次に、図１７（ｄ）に示すように、表示制御部７６を介して表示部２０ａにＦＡＸの送り先番号の入力を促すメッセージを表示する（ステップＳ７）。
【００９６】
この表示を見たユーザが、操作部２０ｂを操作してＦＡＸの送り先番号を入力し、最後に操作部２０ｂの例えば♯ボタンを操作すると（ステップＳ８でＹｅｓと判断されると）、主制御部７５は、このボタン操作信号を受けて、図１７（ｅ）に示すように、表示制御部７６を介して表示部２０ａに「ＦＡＸを送る」と表記された送信ボタンを表示する（ステップＳ９）。
【００９７】
この表示を見たユーザが表示部２０ａに表示された「ＦＡＸを送る」のボタンにタッチすると、表示制御部７６がこのボタンタッチを検出し、検出信号を主制御部７５に出力する。主制御部７５は、この検出信号を受け取ると（ステップＳ１０でＹｅｓと判断されると）、画像読取制御部７１を制御して画像読取部１００を駆動し、原稿から画像データを読み取って、入力された送り先番号に送信する（ステップＳ１１）。そして、ＦＡＸ送信を終了すると、表示部２０ａに送信完了メッセージを表示する（ステップＳ１２）。送信完了メッセージとしては、例えば図１７（ｆ）に示すように、「ＦＡＸを送りました。パネルを戻して下さい。」といったメッセージが考えられる。このように、ＦＡＸの送信完了だけでなく、パネル筐体２０を閉状態に戻すことを促すメッセージも併せて表示することで、ユーザは、パネル筐体２０を戻す操作を忘れずに行うことが可能となる。
【００９８】
この後、主制御部７５は、開閉検出部７９からの検出信号がオンからオフになったか否かを監視する（ステップＳ１３）。そして、表示を見たユーザがパネル筐体２０を開状態から閉状態までスライド移動させることにより、開閉検出部７９からオン検出信号を受け取ると（ステップＳ１３でＹｅｓと判断されると）、主制御部７５は、表示部２０ａに、図１７（ａ）に示すメッセージを表示して、処理を終了する。すなわち、「ＦＡＸ」、「コピー」といった実施できる機能を表示し、その下に、「パネルを前方へスライドさせて下さい。」といった当該機能に移行するための操作メッセージを併せて表示する初期状態（未使用時の状態）に復帰する。
【００９９】
一方、ステップＳ３の選択モードにおいて、ユーザが表示部２０ａに表示された「ＦＡＸを受ける」のボタンにタッチすると、表示制御部７６がこのボタンタッチを検出し、検出信号を主制御部７５に出力する。主制御部７５は、この検出信号に基づき、図１８（ｇ）に示すように、表示制御部７６を介して表示部２０ａに記録用紙のセットを促すメッセージを表示する（ステップＳ４，Ｓ１５）。
【０１００】
この後、ユーザが記録用紙を記録用紙挿入口１１２に差し込んでセットすると、図示は省略しているが記録用紙検出センサがこれを検出し、その検出信号を主制御部７５に出力する。主制御部７５は、この検出信号を受け取ると（ステップＳ１６でＹｅｓと判断されると）、次に、図１８（ｈ）に示すように、表示制御部７６を介して表示部２０ａに受信したＦＡＸの印刷を促すメッセージを表示する（ステップＳ１７）。
【０１０１】
この表示を見たユーザが、操作部２０ｂの例えばスタートボタンを操作して、受信したＦＡＸの印刷を指示すると（ステップＳ１８でＹｅｓと判断されると）、主制御部７５は、このボタン操作信号に基づき、画像形成制御部７２を制御して画像形成部１１０を駆動し、記録用紙に受信したＦＡＸデータを全て印刷する（ステップＳ１９）。そして、印刷を完了すると、表示部２０ａに印刷完了メッセージを表示する（ステップＳ２０）。印刷完了メッセージとしては、例えば図１８（ｉ）に示すように、「受信したＦＡＸを全て印刷しました。記録用紙を取り除いてからパネルを戻して下さい。」といったメッセージが考えられる。このように、印刷の完了だけでなく、パネル筐体２０を閉状態に戻すことを促すメッセージも併せて表示することで、ユーザは、パネル筐体２０を戻す操作を忘れずに行うことが可能となる。
【０１０２】
この後、主制御部７５は、開閉検出部７９からの検出信号がオンからオフになったか否かを監視する（ステップＳ１３）。そして、表示を見たユーザがパネル筐体２０を開状態から閉状態までスライド移動させるとによって、開閉検出部７９からオフ検出信号を受け取ると（ステップＳ１３でＹｅｓと判断されると）、主制御部７５は、表示部２０ａに、図１７（ａ）に示すメッセージを表示して、処理を終了する（ステップＳ１４）。すなわち、「ＦＡＸ」、「コピー」といった実施できる機能を表示し、その下に、「パネルを前方へスライドさせて下さい。」といった当該機能に移行するための操作メッセージを併せて表示する初期状態（未使用時の状態）に復帰する。
【０１０３】
一方、ステップＳ３の選択モードにおいて、ユーザが表示部２０ａに表示された「コピーをする」のボタンにタッチすると、表示制御部７６がこのボタンタッチを検出し、検出信号を主制御部７５に出力する。主制御部７５は、この検出信号に基づき、図１８（ｊ）に示すように、表示制御部７６を介して表示部２０ａに記録用紙のセットを促すメッセージを表示する（ステップＳ４，Ｓ２１）。
【０１０４】
この後、ユーザが記録用紙を記録用紙挿入口１１２に差し込んでセットすると、記録用紙検出センサがこれを検出し、その検出信号を主制御部７５に出力する。主制御部７５は、この検出信号を受け取ると（ステップＳ２２でＹｅｓと判断されると）、次に、図１８（ｋ）に示すように、表示制御部７６を介して表示部２０ａにコピー元となる原稿セットを促すメッセージを表示する（ステップＳ２３）。
【０１０５】
この後、ユーザが原稿を原稿挿入口１０２に差し込んでセットすると、原稿検出センサがこれを検出し、その検出信号を主制御部７５に出力する。主制御部７５は、この検出信号を受け取ると（ステップＳ２４でＹｅｓと判断されると）、次に、図１８（ｌ）に示すように、表示制御部７６を介して表示部２０ａに「コピーをする」と表記されたコピーボタンを表示する（ステップＳ２５）。
【０１０６】
この表示を見たユーザが表示部２０ａに表示された「コピーをする」のボタンにタッチすると、表示制御部７６がこのボタンタッチを検出し、検出信号を主制御部７５に出力する。主制御部７５は、この検出信号を受け取ると（ステップＳ２６でＹｅｓと判断されると）、画像読取制御部７１を制御して画像読取部１００を駆動し、原稿から画像データを読み取るとともに、画像形成制御部７２を制御して画像形成部１１０を駆動し、読み取った画像データを記録用紙に印刷する（ステップＳ２７）。そして、コピーを完了すると、表示部２０ａにコピー完了メッセージを表示する（ステップＳ２８）。コピー完了メッセージとしては、例えば図１８（ｍ）に示すように、「コピーが終了しました。記録記録用紙を取り除いてからパネルを戻して下さい。」といったメッセージが考えられる。このように、コピーの完了だけでなく、パネル筐体２０を閉状態に戻すことを促すメッセージも併せて表示することで、ユーザは、パネル筐体２０を戻す操作を忘れずに行うことが可能となる。
【０１０７】
この後、主制御部７５は、開閉検出部７９からの検出信号がオンからオフになったか否かを監視する（ステップＳ１３）。そして、表示を見たユーザがパネル筐体２０を開状態から閉状態までスライド移動させることによって、開閉検出部７９からオフ検出信号を受け取ると（ステップＳ１３でＹｅｓと判断されると）、主制御部７５は、表示部２０ａに、図１７（ａ）に示すメッセージを表示して（ステップＳ１４）、処理を終了する。すなわち、「ＦＡＸ」、「コピー」といった実施できる機能を表示し、その下に、「パネルを前方へスライドさせて下さい。」といった当該機能に移行するための操作メッセージを併せて表示する初期状態（未使用時の状態）に復帰する。
【０１０８】
上記表示制御の説明では、ファクシミリモードまたはコピーモードに移行したとき、表示部２０ａにファクシミリ通信またはコピー処理に関連する操作ボタンを表示するようにしている。具体的には、パネル筐体２０を開状態にしたときに、表示部２０ａに「ＦＡＸを送る」、「ＦＡＸを受ける」、「コピーをする」といった表記の操作ボタンを表示することで、ユーザは、その表示部２０ａに表示されたボタンにタッチするだけでそれぞれのモードに移行することができる。このように、ＦＡＸやコピーに関する操作ボタンを表示部２０ａに表示する構成とすることで、パネル筐体２０に設けられている操作部２０ｂには、電話機能に関連する操作ボタンのみを設ける構成とすることができる。すなわち、０から９までの数字ボタン、♯ボタン、＊ボタン、保留ボタン、録音ボタン、再生ボタン、一時停止ボタン等の電話を使用するときに必要なボタンのみを操作部２０ｂに設けた構成とすることができる。これにより、例えば高齢者のユーザにとっては、従来から電話として使用しているボタンのみが操作部２０ｂに配置されているので、電話をかけるときの操作性に優れたシンプルな構成とすることができる。また、配置するボタン数も少なくて良いので、個々のボタンを大きく、かつ、間隔を開けて配置することができ、高齢者や子供等にとって操作し易い配置とすることができる。
【０１０９】
また、上記実施形態では、本発明の電子装置をファクシミリ装置に適用した場合について説明しているが、このようなファクシミリ装置に限定されるものではなく、例えば複写機やスキャナ等、用紙を縦置き（若しくは斜め置き）に配置して使用するような給紙トレイを有する全ての電子装置に適用可能なものである。
【産業上の利用可能性】
【０１１０】
本発明は、ファクシミリ装置や複写機、スキャナ等の電子装置に限らず、上部に給紙用の開口部を有する全ての電子装置において利用することが可能である。
【符号の説明】
【０１１１】
１０  装置筐体
１１  パネル受け部
１１ａ  当接面
１１ｂ  外側面
１２  開口部
１３  スライド用突起部
１５ａ  ロック爪部
１５ｂ  係合突起部
１６  開状態検出スイッチ
２０  操作パネル
２０ａ  表示部
２０ｂ  操作部
２１  レール溝部
２１ａ  下側レール片
２１ｂ  上側レール片
２２  支持片
２１ｆ  前側端部
２１ｒ  後側端部
２３  支持凹部
２５  レール溝部
３０  排出トレイ（原稿排出トレイ）
３０ａ  側縁部
４０  連動機構部
４１  アーム部材
４１ａ  上部連結部
４１ｂ  下部連結部
４２  上部突起部
４３  下部突起部
５１  ガイド板
６０  ギヤ機構部（連動機構部）
６２  ギヤ支持板
６３  パネル側ラックギヤ
６４  トレイ側ラックギヤ
６５  第１ギヤ
６６  第２ギヤ
６７  第３ギヤ
６８  支持軸
７１  画像読取制御部
７２  画像形成制御部
７３  搬送制御部
７４  記憶部
７５  主制御部
７６  表示制御部
７７  通話制御部
７８  ファクシミリ通信部
７９  開閉検出部
８１  液晶パネル
８２  タッチパネル
８３  判断部（ＡＳＩＣ）
８４  表示記憶部
８５  パネル制御部
１００  画像読取部
１０１  原稿搬送路
１０２  原稿挿入口
１０３  原稿排出口
１０４  原稿搬送ローラ
１０５  分離ゴム板
１０６  イメージセンサ
１０７  背面ローラ
１１０  画像形成部
１１１  用紙搬送路
１１２  用紙挿入口
１１３  用紙排出口
１１４  分離パッド
１１５  給紙ローラ
１１６  プラテンローラ
１１７  サーマルヘッド
１１８  インクフィルム
１２１  供給ローラ
１２２  巻き取りローラ
１２３  記録カバー
１２４  回動軸
１５０，１６０  回路基板
１７０  フラットケーブル
【図１】
2011019071.tif 000003
【図２】
2011019071.tif 000004
【図３】
2011019071.tif 000005
【図４】
2011019071.tif 000006
【図５】
2011019071.tif 000007
【図６】
2011019071.tif 000008
【図７】
2011019071.tif 000009
【図８Ａ】
2011019071.tif 000010
【図８Ｂ】
2011019071.tif 000011
【図９】
2011019071.tif 000012
【図１０】
2011019071.tif 000013
【図１１】
2011019071.tif 000014
【図１２】
2011019071.tif 000015
【図１３】
2011019071.tif 000016
【図１４】
2011019071.tif 000017
【図１５】
2011019071.tif 000018
【図１６】
2011019071.tif 000019
【図１７】
2011019071.tif 000020
【図１８】
2011019071.tif 000021
【図１９】
2011019071.tif 000022
【図２０】
2011019071.tif 000023